(57)【要約】【課題】枢支ピンを備える必要がなく、部品点数を少なくできると共に、組み立てが容易で、かつ、複雑な加工を不要にする。【解決手段】互いに回動可能に連結された第１及び第２クリップ片１，２と、第１及び第２クリップ片１，２の一端側が当接するように、第１及び第２クリップ片１，２を付勢するばね部と、を備え、第１及び第２クリップ片１，２は、それぞれ、本体部１０と、本体部１０に所定間隔Ｗを置いて設けられた第１及び第２壁部１１，１２と、第１壁部１１に設けられた軸部１３と、第２壁部１２に設けられると共に、軸部１３を挿入可能な孔部１４と、を備え、所定間隔の距離Ｗは、第１壁部１１の厚さＴ１と軸部１３の長さＬとを合計した距離と同一又は長い。【選択図】図３
2017110695.tif 000002
【特許請求の範囲】
【請求項１】
互いに回動可能に連結された第１及び第２クリップ片と、前記第１及び第２クリップ片の一端側が当接するように、前記第１及び第２クリップ片を付勢するばね部と、を備えたクリップであって、
前記第１及び第２クリップ片は、それぞれ、
本体部と、
前記本体部に所定間隔を置いて設けられた第１及び第２壁部と、
前記第１壁部に設けられた軸部と、
前記第２壁部に設けられると共に、前記軸部を挿入可能な孔部と、を備え、
前記所定間隔の距離は、前記第１壁部の厚さと前記軸部の長さとを合計した距離と同一又は長い
ことを特徴とするクリップ。
【請求項２】
前記第１及び第２クリップ片は、それぞれ、同一形状に構成されている
ことを特徴とする請求項１に記載のクリップ。
【請求項３】
前記本体部は、
前記第１及び第２壁部の間に配置された前記ばね部が移動しないようにするストッパー部を備え、
前記ストッパー部は、
前記第１及び第２壁部に対して、前記本体部の一端側に設けられた第１突起部と、
前記第１及び第２壁部に対して、前記本体部の他端側に設けられた第２突起部と、を備え、
前記第２突起部の高さは、前記第１突起部の高さよりも低い
ことを特徴とする請求項１又は２に記載のクリップ。
【請求項４】
前記ばね部は、足付きコイルばねからなる
ことを特徴とする請求項３に記載のクリップ。
【発明の詳細な説明】
【技術分野】
【０００１】
本発明は、対象物を挟むためのクリップに関する。
【背景技術】
【０００２】
従来のクリップは、例えば、特許文献１に開示されている。特許文献１に開示されたクリップは、金属の棒軸のような枢支ピンを備える必要がなく、部品点数を少なくできるという効果を奏する。そのために、このクリップは、クリップ分体２０，２１に、左右隔壁４と、左右隔壁４に設けられた枢支部となる突軸６と、軸孔８を有する軸受け片９と、を備えると共に、軸受け片９の端縁と軸孔に嵌め込まれる突軸６の端部と相対向する一方又は両方に、嵌め込み時の案内となるリード角１０，１１を設ける必要がある（符号等は特許文献１の図７参照）。
【０００３】
上記の通り、従来のクリップは、組み立て時に、リード角１０，１１に沿って突軸６を軸孔８に力強く嵌め込む必要があるので、組み立て作業が困難である。さらに、軸受け片９と突軸６との一方又は両方にリード角１０，１１を設ける必要があるので、特殊な形状となり、製作のための加工が難しいという問題がある。
【先行技術文献】
【特許文献】
【０００４】
【特許文献１】特開平１１−３０３８２２号公報
【発明の概要】
【発明が解決しようとする課題】
【０００５】
そこで、本発明が解決しようとする課題は、枢支ピンを備える必要がなく、部品点数を少なくできると共に、組み立てが容易で、かつ、複雑な加工が不要なクリップを提供することである。
【課題を解決するための手段】
【０００６】
上記課題を解決するために、本発明に係るクリップは、
互いに回動可能に連結された第１及び第２クリップ片と、第１及び第２クリップ片の一端側が当接するように、第１及び第２クリップ片を付勢するばね部と、を備えたクリップであって、
第１及び第２クリップ片は、それぞれ、
本体部と、
本体部に所定間隔を置いて設けられた第１及び第２壁部と、
第１壁部に設けられた軸部と、
第２壁部に設けられると共に、軸部を挿入可能な孔部と、を備え、
所定間隔の距離は、第１壁部の厚さと軸部の長さとを合計した距離と同一又は長い。
【０００７】
好ましくは、
第１及び第２クリップ片は、それぞれ、同一形状に構成されている。
【０００８】
好ましくは、
本体部は、
第１及び第２壁部の間に配置されたばね部が移動しないようにするストッパー部を備え、
ストッパー部は、
第１及び第２壁部に対して、本体部の一端側に設けられた第１突起部と、
第１及び第２壁部に対して、本体部の他端側に設けられた第２突起部と、を備え、
第２突起部の高さは、第１突起部の高さよりも低い。
【０００９】
好ましくは、
ばね部は、足付きコイルばねからなる。
【発明の効果】
【００１０】
本発明の効果は、枢支ピンを備える必要がなく、部品点数を少なくできると共に、組み立てが容易で、かつ、複雑な加工が不要である。
【図面の簡単な説明】
【００１１】
【図１】クリップを示す斜視図。
【図２】第１クリップ片を示し、（Ａ）は裏面図、（Ｂ）は側面図、（Ｃ）は表面図、（Ｄ）は底面図。
【図３】クリップの組み立て工程を示す説明図。
【図４】図３に続くクリップの組み立て工程を示す説明図。
【発明を実施するための形態】
【００１２】
以下、図面に基づいて、本発明に係るクリップを説明する。
【００１３】
先ず、クリップの構成を説明する。
図１の通り、クリップは、互いに回動可能に連結された第１及び第２クリップ片１，２と、第１及び第２クリップ片１，２の一端側１ａ，２ａが当接するように、第１及び第２クリップ片１，２を付勢するばね部１５（図４参照）と、を備える。
【００１４】
本実施形態では、第１及び第２クリップ片１，２は同一形状であるので、第１クリップ片１のみを説明して、第２クリップ片２の説明は省略する。
図２の通り、第１クリップ片１は、所定厚みを有する矩形状の本体部１０を備える。第１クリップ片１は、本体部１０の縦方向の一端側１０ａと他端側１０ｂとの間に、第１及び第２壁部１１，１２を備える。第１及び第２壁部１１，１２は、横方向に所定間隔Ｗを置いて配置される。
【００１５】
第１クリップ片１は、第１壁部１１に設けられた軸部１３を備える。軸部１３は、クリップ片１の外側に向けて横方向に突出する。第１クリップ片１は、軸部１３を挿入可能な孔部１４を備える。孔部１４は、第２壁部１２に設けられる。軸部１３及び孔部１４は、横方向に延びる同一軸方向に設けられる。第１壁部１１は厚さＴ１を有する一方、第２壁部１２は厚さＴ２を有する。軸部１３は長さＬを有する。
【００１６】
本体部１０は、ばね部１５が縦方向に移動しないようにするストッパー部１６を備える。ストッパー部１６は、第１及び第２突起部１６０，１６１を備える。第１及び第２突起部１６０，１６１は、縦方向に所定間隔を置いて配置される。第１突起部１６０は、第１及び第２壁部１１，１２に対して、本体部１０の一端側１０ａに設けられる一方、第２突起部１６１は、第１及び第２壁部１１，１２に対して、本体部１０の他端側１０ｂに設けられる。第２突起部１６１の高さＨ２は、第１突起部１６０の高さＨ１よりも低い。
【００１７】
本体部１０は、組み立ての際にばね部１５を縦方向に案内するための一対のガイド部１７，１７を備える。ガイド部１７，１７は、第１及び第２壁部１１，１２の間に配置される。ガイド部１７，１７は、縦方向に延設されると共に、横方向に所定間隔を置いて配置される。ガイド部１７の高さは、第２突起部１６１の高さＨ２と略同じである。組み立ての際に、ばね部１５は、各ガイド部１７，１７の間に沿ってスライドする。
【００１８】
次に、クリップの組み立て工程を説明する。
図３（Ａ）の通り、第１及び第２クリップ片１，２の裏面側が互いに対向するように配置する。即ち、第１及び第２クリップ片１，２の第１及び第２壁部１１，１２が互いに対向するように配置する。そして、第１及び第２クリップ片１，２の双方の第１壁部１１を、第１及び第２クリップ片１，２の双方の第２壁部１２の間に配置する。そのため、第１及び第２壁部１１，１２の間の所定間隔Ｗの距離は、第１壁部の厚さＴ１と軸部の長さＬとを合計した距離と同一又は長い。
【００１９】
次に、図３（Ｂ）の通り、第１クリップ片１の軸部１３を第２クリップ片２の孔部１４に嵌め込むと共に、第２クリップ片２の軸部１３を第１クリップ片１の孔部１４に嵌め込む。軸部１３及び孔部１４の嵌め合いにより、第１及び第２クリップ片１，２は、互いに回動可能に連結される。さらに、第１及び第２クリップ片１，２の双方の第１壁部１１が所定間隔Ｓを置いて配置されることで、空間１５０が形成される。空間１５０に、ばね部１５が配置されるので、所定間隔Ｓは、ばね部１５の幅よりも大きい。また、空間１５０の横方向の中心Ｃは、各クリップ片１，２の横方向の中心と一致する。
【００２０】
次に、図４（Ａ）の通り、ばね部１５を第１及び第２クリップ片１，２の間に配置する。本実施形態では、ばね部１５は、足付きコイルばねからなり、各足部１５１，１５１が互いに離れる方向に付勢される。ばね部１５は、本体部１０の他端側１０ｂから一端側１０ａに向けて、各第１壁部１１，１１の間（図３（Ｂ））をガイド部１７，１７（図２）に沿ってスライド移動する。
【００２１】
次に、図４（Ｂ）の通り、第２突起部１６１の高さＨ２は低いので、ばね部１５を軽い力で押しても、ばね部１５の両足部１５１，１５１の端部１５ａ，１５ａは、第２突起部１６１を越えて移動する。これにより、ばね部１５は、第１及び第２突起部１６０，１６１の間に配置される。ばね部１５は、第１及び第２突起部１６０，１６１によって縦方向の移動が制限されると共に、各第１壁部１１によって横方向の移動が制限される。
【００２２】
以上、本発明の好ましい実施形態を説明したが、本発明の構成はこれらの実施形態に限定されるものではない。
・本発明は、例えば、預かる荷物に取り付ける荷札用クリップ、紙を挟むバインダー用クリップ、髪の毛を束ねる髪留め用クリップ等に用いることができ、その用途は問わない。
・第１及び第２クリップ片１，２は、上記の実施形態では同一形状であるが、異なる形状であってもよい。特に、各本体部１０が、異なる形状でもよい。
・ばね部１５は、板バネであってもよい。
・軸部１３は、各クリップ片１，２の内側に向けて延設されてもよい。
【００２３】
本発明に係るクリップの効果について説明する。
（１）クリップは、軸部１３と孔部１４とを嵌め合わせて組み立てられるので、枢支ピンを備える必要がなく、部品点数を少なくできると共に、余分な力は必要とせず、容易に組み立てられ、かつ、製作のための複雑な加工が不要である。そのために、シンプルな構成なので、各構成の剛性及び耐久性に優れる。
【００２４】
（２）第１及び第２クリップ片１，２は、同一形状に構成できるので、複数の金型を準備する必要がなく、一つの製造ラインで足りるので、生産性及び製造コストに優れる。
【００２５】
（３）クリップは、ばね部１５を押し込むだけで、第１及び第２突起部１６０，１６１で位置決めできるので、組み立てが容易であり、かつ、組み立て時間を短くできる。さらに、ばね部１５は、本体部１０の外側に露出しないので、本体部１０の表面に文字や絵柄等を表示するスペースを確保できると共に、本体部１０を製作するために複雑な加工をする必要がない。
【００２６】
（４）ばね部１５をコイルばねとすることで、板バネに比べて、弾発力及び耐久性に優れると共に、各クリップ片１，２の開閉角度を大きくできる。
【符号の説明】
【００２７】
１  第１クリップ片
２  第２クリップ片
１ａ，２ａ  各クリップ片の一端側
１０  本体部
１０ａ  本体部の一端側
１０ｂ  本体部の他端側
１１  第１壁部
１２  第２壁部
１３  軸部
１４  孔部
１５  ばね部
１６  ストッパー部
１６０  第１突起部
１６１  第２突起部
Ｗ  所定間隔の距離
Ｔ１  第１壁部の厚さ
Ｌ  軸部の長さ
Ｈ１  第１突起部の高さ
Ｈ２  第２突起部の高さ
【図１】
2017110695.tif 000003
【図２】
2017110695.tif 000004
【図３】
2017110695.tif 000005
【図４】
2017110695.tif 000006